(57)【要約】【課題】  本発明は、講義を受講することを目的としている受講者が必要とする情報を提供することができ、ポイントカードの使用促進を計ることができ、受講者に万遍なくサービスを提供することができるポイント管理システムを提供することを課題とする。【解決手段】  受講管理部２３は受講期限日までの期間の算出と、受講回数のカウントと、受講残数の算出とを行って受講回数情報を生成し、講義予定記憶部２１に記憶された講義予定情報を検索することで次の講義が行われる日付を次回受講日および振替日として取得して次回受講情報を生成し、受講者が取得した今回ポイントの算出と、有効ポイントの算出とを行ってポイント情報を生成し、印字データ生成部３２は、受講回数情報、次回受講情報およびポイント情報をポイントカード１の受講回数情報印字領域、次回受講日印字領域およびポイント印字領域のそれぞれに印字部５を用いて書き換え印字する。【選択図】        図１
2005228212.tif 000002
【特許請求の範囲】
【請求項１】
複数の講義からなる受講コースの受講者に対して発行した、印字内容を書き換えることができるポイントカードを用いて、前記講義の受講毎に発生するポイントを前記受講者に通知するポイント管理システムであって、
前記講義の予定を示す講義予定情報が記憶されている講義予定記憶手段と、
前記受講コースにおける前記受講者の受講履歴が記憶される受講情報記憶手段と、
前記ポイントカードの情報記憶部領域に記憶されている受講番号を読み取る情報アクセス手段と、
前記講義が終了した際に前記情報アクセス手段によって前記受講番号が読み取られると、前記受講情報記憶手段に記憶されている前記受講履歴に受講日を登録すると共に、前記受講番号に基づいて前記講義予定記憶手段に記憶されている前記講義予定情報を検索して次回受講日を取得する受講管理手段と、
該受講管理手段によって取得された前記次回受講日を前記ポイントカードに書き換え印字する印字手段とを具備することを特徴とするポイント管理システム。
【請求項２】
前記受講管理手段は、前記次回受講日と共に振替日を取得し、
前記印字手段は、前記受講管理手段によって取得された前記次回受講日および前記振替日を前記ポイントカードに書き換え印字することを特徴とする請求項１記載のポイント管理システム。
【請求項３】
前記受講管理手段は、前記受講番号に基づいて前記講義予定記憶手段に記憶されている前記講義予定情報および前記受講情報記憶手段に記憶されている前記受講履歴を参照して前記受講コースが修了されたと判断されると、前記受講コースが修了したことを示す修了通知を出力し、
前記印字手段は、前記受講管理手段からの前記修了通知が入力されると、前記受講コースが修了したことを示す修了コメントを書き換え印字することを特徴とする請求項１又は２記載のポイント管理システム。
【請求項４】
前記ポイントカードは、前記ポイントおよび前記次回受講日が書き換え印字される第１の書き換え可能領域と、当該第１の書き換え可能領域とは異なる色に発色する第２の書き換え可能領域が形成されており、
前記印字手段は、前記受講管理手段からの前記修了通知が入力されると、前記第２の書き換え可能領域に修了印を印字することを特徴とする請求項１乃至３のいずれかに記載のポイント管理システム。
【発明の詳細な説明】
【技術分野】
【０００１】
本発明は、英会話スクール等の各種学校において受講することによって発生するポイントを管理するポイント管理システムに関し、特に受講者に対して印字内容を書き換えることができるポイントカードを用いて受講に関する情報を提供することができるポイント管理システムに関する。
【背景技術】
【０００２】
従来、英会話スクール等の各種学校での使用を目的として、受講者の身分を証明できると共に、ポイントも書き換え可能に表示することができるポイントカードおよびそのカードシステムが提案されており、ポイントカードは、カード基材表面に顔写真画像表示部と、データ記録部と、ポイントを書き換え可能に表示するポイント表示部とを備え、カードシステムは、データ記録部に対する書込読取手段と、ポイント表示部に対する表示書込書き換え手段とを有するリーダライタと、ポイントを入力する入力手段と、ポイントを記憶する記憶手段と、ポイントを表示書込書き換え手段によりサービスポイント表示部に表示するように制御する制御手段とを有する（例えば、特許文献１参照）。
【０００３】
しかしながら、従来技術では、ポイントカードを受講者の身分証明として用いているので、受講者が常に携帯することにはなるが、講義を受講することを目的としている受講者がポイントに関心を示すとは限らないため、ポイントカードの使用促進効果が低く、受講者に万遍なくサービスを提供することができないという問題点があった。
【特許文献１】特開２００２−２１５９号公報
【発明の開示】
【発明が解決しようとする課題】
【０００４】
本発明は斯かる問題点を鑑みてなされたものであり、その目的とするところは、講義を受講することを目的としている受講者が必要とする情報を提供することができ、ポイントカードの使用促進を計ることができ、受講者に万遍なくサービスを提供することができるポイント管理システムを提供する点にある。
【課題を解決するための手段】
【０００５】
本発明は上記課題を解決すべく、以下に掲げる構成とした。
請求項１記載の発明の要旨は、複数の講義からなる受講コースの受講者に対して発行した、印字内容を書き換えることができるポイントカードを用いて、前記講義の受講毎に発生するポイントを前記受講者に通知するポイント管理システムであって、前記講義の予定を示す講義予定情報が記憶されている講義予定記憶手段と、前記受講コースにおける前記受講者の受講履歴が記憶される受講情報記憶手段と、前記ポイントカードの情報記憶部領域に記憶されている受講番号を読み取る情報アクセス手段と、前記講義が終了した際に前記情報アクセス手段によって前記受講番号が読み取られると、前記受講情報記憶手段に記憶されている前記受講履歴に受講日を登録すると共に、前記受講番号に基づいて前記講義予定記憶手段に記憶されている前記講義予定情報を検索して次回受講日を取得する受講管理手段と、該受講管理手段によって取得された前記次回受講日を前記ポイントカードに書き換え印字する印字手段とを具備することを特徴とするポイント管理システムに存する。
また請求項２記載の発明の要旨は、前記受講管理手段は、前記次回受講日と共に振替日を取得し、前記印字手段は、前記受講管理手段によって取得された前記次回受講日および前記振替日を前記ポイントカードに書き換え印字することを特徴とする請求項１記載のポイント管理システムに存する。
また請求項３記載の発明の要旨は、前記受講管理手段は、前記受講番号に基づいて前記講義予定記憶手段に記憶されている前記講義予定情報および前記受講情報記憶手段に記憶されている前記受講履歴を参照して前記受講コースが修了されたと判断されると、前記受講コースが修了したことを示す修了通知を出力し、前記印字手段は、前記受講管理手段からの前記修了通知が入力されると、前記受講コースが修了したことを示す修了コメントを書き換え印字することを特徴とする請求項１又は２記載のポイント管理システムに存する。
また請求項４記載の発明の要旨は、前記ポイントカードは、前記ポイントおよび前記次回受講日が書き換え印字される第１の書き換え可能領域と、当該第１の書き換え可能領域とは異なる色に発色する第２の書き換え可能領域が形成されており、前記印字手段は、前記受講管理手段からの前記修了通知が入力されると、前記第２の書き換え可能領域に修了印を印字することを特徴とする請求項１乃至３のいずれかに記載のポイント管理システムに存する。
【発明の効果】
【０００６】
本発明のポイント管理システムは、次回受講日および振替日からなる次回受講情報をポイントカードに書き換え印字するように構成することにより、講義を受講することを目的としている受講者が必要とする情報を提供することができ、ポイントカードの使用促進を計ることができ、受講者がポイントを意識しない場合でも自然にポイントが貯まるため、受講者に万遍なくサービスを提供することができるという効果を奏する。
【０００７】
さらに、本発明のポイント管理システムは、ポイントカードを読み取ることによって受講履歴に受講日を登録すると共に、受講コースを修了した場合には、ポイントカードを修了証として用いるように構成することにより、出席管理がポイントカードを用いて行えるため、ポイントカードの使用促進を計ることができ、受講者がポイントを意識しない場合でも自然にポイントが貯まるため、受講者に万遍なくサービスを提供することができるという効果を奏する。
【発明を実施するための最良の形態】
【０００８】
以下、本発明の実施の形態を図面に基づいて詳細に説明する。
【０００９】
図１は、本発明に係るポイント管理システムの実施の形態の構成を示すブロック図であり、図２は、図１に示す講義予定記憶部に記憶されている講義予定情報例を示す図であり、図３は、図１に示す受講情報記憶部に記憶されている受講情報例を示す図である。
【００１０】
本実施の形態のポイント管理システムは、英会話スクール等の各種学校において、ポイントカード１を用いて受講者にサービス提供を行うシステムであり、図１を参照すると、本部端末２と、教室端末３とがインターネット等のネットワーク６によって接続されている。
【００１１】
ポイントカード１は、印字内容を書き換えることができる所謂リライトカードであり、ポイントカード１の印字面（表面）は、例えば熱可逆性染料層が形成された第１の書き換え可能領域１１と第２の書き換え可能領域１２とが形成されている。第１の書き換え可能領域１１と第２の書き換え可能領域１２とは、印字される色（発色）が異なっており、本実施の形態では、第１の書き換え可能領域１１の発色が「黒」に、第２の書き換え可能領域１２の発色が「赤」になっている。また、ポイントカード１の裏面には、磁気ストライプ等の情報記憶領域が設けられており、情報記憶領域には、少なくとも受講番号を含む受講者情報が記憶される。
【００１２】
本部端末２および教室端末３には、図１を参照すると、情報アクセス部４と、印字部５とからなるリーダライタがそれぞれ設けられている。情報アクセス部４は、磁気ヘッドによってポイントカード１の情報記憶領域に少なくとも受講番号を含む受講者情報を書き込む機能を有すると共に、ポイントカード１の情報記憶領域における磁界の変化を検知することで、ポイントカード１の情報記憶領域から少なくとも受講番号を含む受講者情報を読み取る。また、印字部５は、ポイントカード１の書き換えが可能な領域に印字を行う印字ヘッドと、ポイントカード１の書き換えが可能な領域に印字されている印字内容の消去を行う消去ヘッドとを有し、ポイントカード１の書き換えが可能な領域の書き換え印字を行う。
【００１３】
本部端末２は、各種学校の受け付けカウンタや事務所等に設置され、図１を参照すると、情報アクセス部４および印字部５に加え、講義予定記憶部２１と、受講情報記憶部２２と、受講管理部２３と、印字データ生成部２４と、入力部２５と、ネットワーク６を介して教室端末３とデータの送受信を行う機能を有する送受信部２６とで構成されている。
【００１４】
講義予定記憶部２１は、図２に示す講義予定情報が記憶されるハードディスク等の記憶手段である。図２に示す講義予定情報は、２００４年１月の講義予定を示すものであり、講義内容が「アルファベット」＋「数字」で表され、「アルファベット」は、受講コースを示し、「数字」は、各受講コースの講義順を示している。
【００１５】
受講情報記憶部２２は、受講情報が記憶されるハードディスク等の記憶手段であり、受講情報記憶部２２に記憶される受講情報は、図３に示すように、受講番号および受講者名からなる受講者情報と、受講コース名、受講開始日および受講期限日からなる受講コース情報と、受講コースにおける受講者の受講履歴を示す受講履歴情報とからなる。
【００１６】
受講管理部２３は、受講コースの受け付け時には、受講情報を作成して受講情報記憶部２２に記憶させると共に、受講番号、受講者名、受講コース名および講義開始日からなる内容が変更されることがない固定情報と、受講期限日までの期間、受講回数および受講残数からなる受講回数情報と、次回受講日および振替日からなる次回受講情報と、今回ポイントおよび有効ポイントからなる受講者のポイント情報とを印字データ生成部２４に出力する。
【００１７】
また、受講管理部２３は、各講義が終了した時には、受講情報内の受講履歴情報の該当箇所、すなわち受講者が受講した講義に対応する欄に受講日を登録させると共に、受講回数情報、次回受講情報およびポイント情報を生成し、生成した受講回数情報、次回受講情報およびポイント情報を送受信部２６に出力する。
【００１８】
また、受講管理部２３は、最終の講義が終了した時には、受講情報内の受講履歴情報を参照することで、受講コースにおいて受講者が受講した講義数が予め定められている基準以上か否かを判断し、受講者が受講した講義数が予め定められている基準以上である場合には、受講者が受講コースを修了したことを示す修了通知を生成して送受信部２６に出力する。
【００１９】
印字データ生成部２４は、受講管理部２３から固定情報、受講回数情報、次回受講情報およびポイント情報が入力されると、ポイントカード１の第１の書き換え可能領域１１を、固定情報印字領域１０１と、受講回数情報印字領域１０２と、次回受講日印字領域１０３と、ポイント印字領域１０４と、書誌事項印字領域１０５とに割り振り、受講管理部２３から入力された固定情報、受講回数情報、次回受講情報およびポイント情報を、図５に示すように、ポイントカード１の固定情報印字領域１０１、受講回数情報印字領域１０２、次回受講日印字領域１０３およびポイント印字領域１０４のそれぞれに印字部５を用いて印字する。
【００２０】
入力部２５は、オペレータによって各種情報の入力が行われるキーボード等の入力手段であり、受講者名および受講コース名の入力が行われると共に、講義予定記憶部２１に記憶される講義予定情報の入力が行われる。
【００２１】
教室端末３は、教室内や教室の入口に設置され、受講者の出席を管理する端末であり、図１を参照すると、情報アクセス部４および印字部５に加え、ネットワーク６を介して本部端末２とデータの送受信を行う機能を有する送受信部３１と、印字データ生成部３２とで構成されている。
【００２２】
印字データ生成部３２は、送受信部３１から受講回数情報、次回受講情報およびポイント情報が入力されると、送受信部３１から入力された受講回数情報、次回受講情報およびポイント情報を、ポイントカード１の受講回数情報印字領域１０２、次回受講日印字領域１０３およびポイント印字領域１０４のそれぞれに印字部５を用いて書き換え印字する。また、印字データ生成部３２は、送受信部３１から修了通知が入力されると、固定情報印字領域１０１およびポイント印字領域１０４の一部と、受講回数情報印字領域１０２および次回受講日印字領域１０３とをコメント印字領域１０７に変更し、印字部５を用いてコメント印字領域１０７に講義を修了したことを示す修了コメントを書き換え印字すると共に、ポイントカード１の第２の書き換え可能領域１２をスタンプ印字領域１０６に割り当て、印字部５を用いてスタンプ印字領域１０６に修了印を印字する。
【００２３】
次に、本実施の形態の動作について図４乃至図７を参照して詳細に説明する。
図４は、図１に示す本部端末の動作を説明するためのフローチャートであり、図５は、本発明に係るポイント管理システムの実施の形態で用いるポイントカードへの申し込み時の印字例を示す図であり、図６は、本発明に係るポイント管理システムの実施の形態で用いるポイントカードへの講義継続時の印字例を示す図であり、図７は、本発明に係るポイント管理システムの実施の形態で用いるポイントカードへの修了時の印字例を示す図である。
【００２４】
まず、受講予定者が、本部端末２が設置されている受け付けカウンタや事務所等でスクールが提供する受講コースに申し込むと、申し込みを受け付けた担当者が入力部２５から受講予定者の氏名を受講者名として入力すると共に、受講する受講コース名を入力する。受講管理部２３は、入力部２５から受講者名および受講コース名が入力されると、受講番号を自動採番すると共に、講義予定記憶部２１に記憶されている講義予定情報を参照して初回の講義が行われる日付を受講開始日として取得し、受講開始日に予め定められた期間を加えた受講期限日を算出する。
【００２５】
次に、受講管理部２３は、受講番号、受講者名、受講コース名、受講開始日および受講期限日に基づいて受講情報を作成して受講情報記憶部２２に記憶させると共に、受講情報記憶部２２に記憶された受講情報を参照することで受講期限日までの期間の算出と、受講回数のカウントと、受講残数の算出（講義数−受講回数）と、受講者が取得した今回ポイントの算出と、有効ポイントの算出とを行い、さらに、講義予定記憶部２１に記憶された講義予定情報を参照することで最初の講義が行われる最も近い日付を次回受講日とし、次に近い日付を振替日としてそれぞれ取得し、受講番号、受講者名、受講コース名および講義開始日からなる内容が変更されることがない固定情報と、受講期限日までの期間、受講回数および受講残数からなる受講回数情報と、次回受講日および振替日からなる次回受講情報と、今回ポイントおよび有効ポイントからなる受講者のポイント情報とを印字データ生成部２４に出力する。なお、受け付け時には、受講回数、今回ポイントおよび有効ポイントは、０となり、受講残数は、受講コースの講義数となる。
【００２６】
印字データ生成部２４は、受講管理部２３から固定情報、受講回数情報、次回受講情報およびポイント情報が入力されると、ポイントカード１の第１の書き換え可能領域１１を、固定情報を印字する固定情報印字領域１０１と、受講回数情報を印字する受講回数情報印字領域１０２と、次回受講日を印字する次回受講日印字領域１０３と、受講者が取得したポイントを印字するポイント印字領域１０４と、スクール名、電話番号、キャッチフレーズ、連絡事項等の書誌的事項を印字する書誌事項印字領域１０５とに割り振り、図５に示すように、受講管理部２３から入力された固定情報、受講回数情報、次回受講情報およびポイント情報をポイントカード１の固定情報印字領域１０１、受講回数情報印字領域１０２、次回受講日印字領域１０３およびポイント印字領域１０４のそれぞれに印字部５を用いて印字する。なお、スクール名、電話番号、キャッチフレーズ、連絡事項等の書誌的事項は、印字データ生成部２４に予め設定されており、予め設定されている書誌的事項がポイントカード１の書誌事項印字領域１０５に印字される。
【００２７】
また、受講管理部２３は、少なくとも受講番号を含む受講者情報を情報アクセス部４に出力し、情報アクセス部４は、受講管理部２３から入力された受講者情報をポイントカード１の情報記憶領域に記憶させる。
【００２８】
このようにして第１の書き換え可能領域１１に固定情報、受講回数情報、次回受講情報、ポイント情報および書誌的事項が印字され、情報記憶領域に少なくとも受講番号を含む受講者情報が記憶されたポイントカード１は、受講コースを申し込んだ受講者に手渡される。
【００２９】
次に、講義終了時に、受講者が教室に設置されている教室端末３の情報アクセス部４にポイントカード１を挿入すると、情報アクセス部４は、ポイントカード１の情報記憶領域に記憶されている受講番号を読み取り、情報アクセス部４によって読み取られた受講番号は、送受信部３１によってネットワーク６を介して本部端末２に送信される。
【００３０】
本部端末２の送受信部２６は、教室端末３からの受講番号を受信し（ステップＡ１）、受信した受講番号を受講管理部２３に出力する。受講管理部２３は、受講番号が入力されると、講義予定記憶部２１に記憶された講義予定情報を参照することで受講者が受講した講義を認識し（ステップＡ２）、最終の講義であるか否かを判断する（ステップＡ３）。
【００３１】
ステップＡ３で受講者が受講した講義が最終の講義でないと判断された場合には、受講管理部２３は、受講番号に基づいて受講情報記憶部２２に記憶された受講情報を検索し、受講情報内の受講履歴情報の該当箇所、すなわち受講者が受講した講義に対応する欄に受講日を登録させる（ステップＡ４）。図３に示す受講情報では、受講者が「Ａ１０」の講義を２００４年１月２０日に受けた状態が示されている。
【００３２】
受講管理部２３は受講期限日までの期間の算出と、受講回数のカウントと、受講残数の算出（講義数−受講回数）とを行って受講回数情報を生成し、講義予定記憶部２１に記憶された講義予定情報を検索することで次の講義が行われる日付を次回受講日および振替日として取得して次回受講情報を生成し、受講者が取得した今回ポイントの算出と、有効ポイントの算出とを行ってポイント情報を生成する（ステップＡ５）。なお、次回受講日および振替日の取得は、講義予定記憶部２１に記憶された講義予定情報を検索して次回の講義が行われる日付を取得するもので、例えば受講者が「Ａ１０」の講義を受けた場合には、「Ａ１１」の講義が行われる最も早い日付が次回受講日として取得され、次回受講日以降に「Ａ１１」の講義が行われる日付が振替日として取得される。取得する振替日は、１つに限られるものではなく、印字するスペースがあれば複数取得するようにしても良い。また、本実施の形態では、１つの講義を受ける毎に１０ポイントが発生するものとし、受講者が講義を受ける毎に今回ポイント、１０が算出され、受講回数に１０を乗算することによって有効ポイントが算出される。
【００３３】
次に、受講管理部２３は、受講期限日までの期間、受講回数および受講残数からなる受講回数情報と、次回受講日および振替日からなる次回受講情報と、今回ポイントおよび有効ポイントからなる受講者のポイント情報とを送受信部２６に出力し、送受信部２６は、ネットワーク６を介して受講回数情報、次回受講情報およびポイント情報を教室端末３に送信する（ステップＡ６）。
【００３４】
教室端末３の送受信部３１は、本部端末２からの受講回数情報、次回受講情報およびポイント情報を受信し、受信した受講回数情報、次回受講情報およびポイント情報を印字データ生成部３２に出力する。印字データ生成部３２は、送受信部３１から受講回数情報、次回受講情報およびポイント情報が入力されると、図６に示すように、送受信部３１から入力された受講回数情報、次回受講情報およびポイント情報をポイントカード１の受講回数情報印字領域１０２、次回受講日印字領域１０３およびポイント印字領域１０４のそれぞれに印字部５を用いて書き換え印字する。
【００３５】
ステップＡ３で受講者が受講した講義が最終の講義であると判断された場合には、受講管理部２３は、受講番号に基づいて受講情報記憶部２２に記憶された受講情報を検索し、受講情報内の受講履歴情報を参照することで、受講コースにおいて受講者が受講した講義数が予め定められている基準以上か否かを判断し（ステップＡ７）、受講者が受講した講義数が予め定められている基準以上である場合には、受講者が受講コースを修了したことを示す修了通知を生成して送受信部２６に出力し、送受信部２６は、ネットワーク６を介して修了通知を教室端末３に送信する（ステップＡ８）。
【００３６】
教室端末３の送受信部３１は、本部端末２からの修了通知を受信し、受信した修了通知を印字データ生成部３２に出力する。印字データ生成部３２は、送受信部３１から修了通知が入力されると、図７に示すように、固定情報印字領域１０１およびポイント印字領域１０４の一部と、受講回数情報印字領域１０２および次回受講日印字領域１０３とをコメント印字領域１０７に変更し、印字部５を用いてコメント印字領域１０７に講義を修了したことを示す修了コメントを書き換え印字すると共に、ポイントカード１の第２の書き換え可能領域１２をスタンプ印字領域１０６に割り当て、印字部５を用いてスタンプ印字領域１０６に修了印を印字する。第２の書き換え可能領域１２は、固定情報印字領域１０１、ポイント印字領域１０４、書誌事項印字領域１０５およびコメント印字領域１０７と異なる赤色で印字されるため、修了印が実際に押印されたように見える。なお、修了コメントは、教室端末３の印字データ生成部３２に予め設定しておいても良く、また、本部端末２から教室端末３に修了通知と共に送信するようにしても良い。また、コメント印字領域１０７に変更されなかった固定情報印字領域１０１には、受講番号、受講者名および受講コース名が、ポイント印字領域１０４には、有効ポイントがそれぞれ印字され、ポイント印字領域１０４に印字された有効ポイントは、他の受講コースの割引や書籍などの割引に使用することができる。
【００３７】
ステップＡ７で受講者が受講した講義数が予め定められている基準未満である場合には、受講者が受講コースを修了することなく講義が終わったことを示す終了通知を生成して送受信部２６に出力し、送受信部２６は、ネットワーク６を介して終了通知を教室端末３に送信する（ステップＡ９）。
【００３８】
教室端末３の送受信部３１は、本部端末２からの終了通知を受信し、受信した終了通知を印字データ生成部３２に出力する。印字データ生成部３２は、送受信部３１から終了通知が入力されると、固定情報印字領域１０１およびポイント印字領域１０４の一部と、受講回数情報印字領域１０２および次回受講日印字領域１０３とをコメント印字領域１０７に変更し、印字部５を用いてコメント印字領域１０７に受講コースを修了することなく講義か終わったことを示す終了コメントを書き換え印字する。なお、終了コメントは、教室端末３の印字データ生成部３２に予め設定しておいても良く、また、本部端末２から教室端末３に終了通知と共に送信するようにしても良い。
【００３９】
以上説明したように、本実施の形態によれば、次回受講日および振替日からなる次回受講情報をポイントカード１に書き換え印字するように構成することにより、講義を受講することを目的としている受講者が必要とする情報を提供し携帯することができ、ポイントカード１の使用促進を計ることができ、受講者がポイントを意識しない場合でも自然にポイントが貯まるため、受講者に万遍なくサービスを提供することができるという効果を奏する。
【００４０】
さらに、本実施の形態によれば、ポイントカード１を読み取ることによって受講履歴に受講日を登録すると共に、受講コースを修了した場合には、ポイントカード１を修了証として用いるように構成することにより、出席管理がポイントカードを用いて行えるため、ポイントカードの使用促進を計ることができ、受講者がポイントを意識しない場合でも自然にポイントが貯まるため、受講者に万遍なくサービスを提供することができるという効果を奏する。
【００４１】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００４２】
【図１】本発明に係るポイント管理システムの実施の形態の構成を示すブロック図である。
【図２】図１に示す講義予定記憶部に記憶されている講義予定情報例を示す図である。
【図３】図１に示す受講情報記憶部に記憶されている受講情報例を示す図である。
【図４】図１に示す本部端末の動作を説明するためのフローチャートである。
【図５】本発明に係るポイント管理システムの実施の形態で用いるポイントカードへの申し込み時の印字例を示す図である。
【図６】本発明に係るポイント管理システムの実施の形態で用いるポイントカードへの講義継続時の印字例を示す図である。
【図７】本発明に係るポイント管理システムの実施の形態で用いるポイントカードへの修了時の印字例を示す図である。
【符号の説明】
【００４３】
１  ポイントカード
２  本部端末
３  教室端末
４  情報アクセス部（情報アクセス手段）
５  印字部（印字手段）
６  ネットワーク
１１  第１の書き換え可能領域
１２  第２の書き換え可能領域
２１  講義予定記憶部（講義予定記憶手段）
２２  受講情報記憶部（受講情報手段）
２３  受講管理部（受講管理手段）
２４  印字データ生成部
２５  入力部
２６  送受信部
３１  送受信部
３２  印字データ生成部
１０１  固定情報印字領域
１０２  受講回数情報印字領域
１０３  次回受講日印字領域
１０４  ポイント印字領域
１０５  書誌事項印字領域
１０６  スタンプ印字領域
１０７  コメント印字領域
【図１】
2005228212.tif 000003
【図２】
2005228212.tif 000004
【図３】
2005228212.tif 000005
【図４】
2005228212.tif 000006
【図５】
2005228212.tif 000007
【図６】
2005228212.tif 000008
【図７】
2005228212.tif 000009